(57)【要約】【課題】利便性の向上及び使用時の薬液飛散及び針刺し事故のリスクを低減することができるアンプル製剤用針組立体を提供することを目的とする。【解決手段】アンプル製剤用針組立体１は、針先１４を有する内針１０と、針先１４よりも先端側に位置する先端部２６を有し、少なくとも前記針先１４の周囲を覆う外筒２２と、を備え、アンプル３０の開口部３２から外筒２２と内針１０を挿入してアンプル３０の薬液４０を外筒２０及び内針１０を介して吸引した後に、外筒２０は内針１０の針先１４を露出させた状態に移行可能なように構成される。【選択図】図３
2019051031.tif 000002
【特許請求の範囲】
【請求項１】
針先を有する内針と、
前記針先よりも先端側に位置し、先端が鈍な先端部を有し、少なくとも前記針先の周囲を覆う外筒と、を備え、
アンプルの開口部から前記外筒と前記内針を挿入して前記アンプルの薬液を前記外筒及び前記内針を介して吸引した後に、前記外筒は前記内針の針先を露出させた状態に移行可能なように構成されることを特徴とする、アンプル製剤用針組立体。
【請求項２】
前記外筒は、前記内針から着脱可能である請求項１記載のアンプル製剤用針組立体。
【請求項３】
前記外筒は、前記内針に対して挿入方向に相対移動させことができる請求項１〜２のいずれか一つに記載のアンプル製剤用針組立体。
【請求項４】
前記外筒は、前記内針に付着した液体が前記内針ハブ側に進入することを防止する傘部を有する請求項１〜３のいずれか一つに記載のアンプル製剤用針組立体。
【請求項５】
前記外筒は、当該外筒の基端部に固定された外筒ハブを有する請求項１〜４のいずれか一つに記載のアンプル製剤用針組立体。
【請求項６】
前記内針は当該内針の基端部に固定された内針ハブを有し、前記外筒ハブは、組立状態において前記外筒ハブと嵌合している請求項５記載のアンプル製剤用針組立体。
【請求項７】
前記外筒の内部空間に、アンプルのガラス破片及び又は異物を通過させないためのフィルターを有する請求項１〜６のいずれか一つに記載のアンプル製剤用針組立体。
【請求項８】
前記外筒の先端部は、前記中心軸時方向に対して突出する複数の突部を有する請求項１〜７のいずれか一つに記載のアンプル製剤用針組立体。
【請求項９】
前記外筒の先端部は、当該先端部の形状がラッパ形状となっている請求項８記載のアンプル製剤用針組立体。
【請求項１０】
前記外筒の表面は、撥水性または疎水性を有する請求項９記載アンプル製剤用の針組立体。
【発明の詳細な説明】
【技術分野】
【０００１】
本発明は、薬液をアンプルから吸引するアンプル製剤用針組立体に関する。
【背景技術】
【０００２】
一般に、薬液を保存する容器としてアンプルが知られているが、アンプルから薬液を吸引する際には注射器を用いて吸引するのが一般的である。しかしながら、注射器の先端に取り付けられた針の針先は鋭利であるため、吸引をする際にアンプルの内壁に突き当たって針先が変形してしまうことがある。この場合、針先が変形した針をそのまま使用して患者に穿刺しようとすると、その変形により穿刺性が劣化し痛みが増加するなどの課題があった。この問題を解決するために特許文献１のように、注射器の鋭利な針を中空の筒に付け替え可能な器具が開示されている。
【先行技術文献】
【特許文献】
【０００３】
【特許文献１】特開平８−２９９４４０号公報
【発明の概要】
【発明が解決しようとする課題】
【０００４】
特許文献１に開示された器具には、吸引後に中空の筒と針を付け変えなければならない、付け変える際に手指に針を刺してしまったり、付け変える際に薬液が飛散するといった問題があった。
【０００５】
本発明はこのような課題を考慮してなされたものであり、利便性の向上及び使用時の薬液飛散及び針刺し事故のリスクを低減することができるアンプル製剤用針組立体を提供することを目的とする。
【課題を解決するための手段】
【０００６】
上記の目的を達成するため、本発明のアンプル製剤用針組立体は、針先を有する内針と、前記針先よりも先端側に位置し、先端が鈍な先端部を有し、少なくとも前記針先の周囲を覆う外筒と、を備え、アンプルの開口部から前記外筒と前記内針を挿入して前記アンプルの薬液を前記外筒及び前記内針を介して吸引した後に、前記外筒は前記内針の針先を露出させた状態に移行可能なように構成されることを特徴とする。
【０００７】
上記の構成を備えたアンプル製剤用針組立体によれば、アンプルから薬液を吸引する際に、針先は外筒によって覆われているため、使用者の針刺し事故のリスクを低減することができる。上記アンプル製剤用針組立体は、薬液を吸引した後に容易に針先を露出させた状態に移行することができるため、使用時の利便性の向上及び薬液飛散のリスクを低減することができる。更には吸引をする際にアンプルの内壁に突き当たって針先が変形してしまうことを防止することができる。
【０００８】
前記外筒は、前記針から着脱可能であってもよい。
【０００９】
この構成により、薬液の付着した外筒を取り除き、清潔な状態で穿刺及び薬液注入を行うことができる。
【００１０】
前記外筒は、前記内針に対して挿入方向に相対移動可能であってもよい。
【００１１】
この構成により、外筒を簡便な操作で離脱させることができる。    
前記外筒の基端には、外筒ハブが設けられていてもよい。
【００１２】
この構成により、外筒ハブを挟持することで外筒を確実に操作することができる。
【００１３】
前記外筒ハブは、前記外筒に付着した液体が前記内針ハブ側に進入することを防止する傘部を有していてもよい。
【００１４】
この構成により、薬液吸引後に外筒に付着した液体が、外筒を伝って使用者の手に付着することを防止することができる。
【００１５】
前記内針は当該内針の基端部に固定された内針ハブを有し、前記外筒ハブは、組立状態において、前記内針ハブと嵌合していてもよい。
【００１６】
この構成により、外筒ハブと内針ハブの嵌合により針先が移動しないので、針先が外筒から露出することなく薬液吸引を行うことができる。
【００１７】
前記外筒の内部空間に、アンプルのガラス破片及び又は異物を通過させないためのフィルタを有していてもよい。
【００１８】
この構成により、吸引した薬液に異物等が混入してしまうことを防止することができる。
【００１９】
前記外筒の先端部は、前記中心軸時方向に対して突出する複数の突部を有していてもよい。
【００２０】
この構成により、外筒の先端がアンプルの底面に位置する場合にも、凸部の隙間から確実に薬液を吸引することができる。
【００２１】
前記外筒の先端部は、当該先端部の形状がラッパ形状となっていてもよい。
【００２２】
この構成により、外筒を押し込むことによって、アンプルに付着した液滴の最後の1滴まで吸引することが可能である。
【００２３】
前記外筒の表面は、撥水性または疎水性を有していてもよい。
【００２４】
この構成により、薬液吸引後に外筒に薬液が付着し難くなるため、外筒を清潔な状態に保つことができる。
【発明の効果】
【００２５】
本発明のアンプル製剤用針組立体によれば、吸引をする際にアンプルの内壁に突き当って針先が変形してしまうことを防止できる。本発明のアンプル製剤用針組立体は、使用時における利便性の向上及び薬液飛散及び針刺し事故のリスクを低減することができる。
【図面の簡単な説明】
【００２６】
【図１】本発明の第１実施形態に係るアンプル製剤用針組立体の概略側面図である。
【図２】本発明の第２実施形態に係るアンプル製剤用針組立体の概略側面図である。
【図３】本発明の第１実施形態の使用状態を示す図である。
【図４】本発明の第１実施形態における薬液吸引後のアンプル製剤用針組立体の側面図である。
【図５】本発明における外筒ハブの断面図である。
【図６】本発明における外筒の先端形状の他の態様Ａの側面を示す図である。
【図７】本発明における外筒の先端形状の他の態様Ｂの側面を示す図である。
【図８】本発明における外筒の先端形状の他の態様Ｃの側面を示す図である。
【図９】本発明における外筒の先端形状の他の態様Ｄの側面を示す図である。
【図１０】図７に示した外筒の先端をアンプルの底面に位置させた状態を示す図である。
【図１１】図８に示した外筒の先端をアンプルの底面に位置させた状態を示す図である。
【図１２】図９に示した外筒の先端をアンプルの底面に位置させた状態を示す図である。
【図１３】図１０に示した外筒の先端をアンプルの底面に位置させた状態を示す図である。
【発明を実施するための形態】
【００２７】
以下、本発明に係るアンプル製剤用針組立体について好適な複数の実施形態を挙げ、添付の図面を参照しながら説明する。  
最初に、本発明のアンプル製剤針組立体における第１の実施形態について、図１〜５を参照して説明する。
【００２８】
アンプル製剤針組立体１は、図１に示すように、針先１４を有する内針１０と、針先１４よりも先端側に位置し、先端が鈍な先端部２６を有し、針先１４の周囲を覆う外筒２０とを備える。内針１０の基端には内針ハブ１２が設けられている。
【００２９】
内針１０は体内への刺入に耐えられる硬さや靭性を備えていればどのような素材でもよいが、例えば、ステンレス鋼、アルミニウム又はアルミニウム合金、チタン又はチタン合金のような金属材料、硬質樹脂、セラミックス等が好適に利用できる。
【００３０】
外筒２０の素材は樹脂材料、特に、軟質樹脂材料が好適である。この場合、例えば、ポリテトラフルオロエテレン（ＰＴＦＥ）、エチレン・テトラフルオロエテレン共重合体（ＥＴＦＥ）、ベルフルオロアルコキシフッ素樹脂（ＰＦＡ）等のフッ素系樹脂、ポリエチレン、ポリプロピレン等のオレフィン系樹脂又はこれらの混合物、ポリウレタン、ポリエステル、ポリアミド、ポリエーテルポリアミド樹脂、前記オレフィン系樹脂とエチレン−酢酸ビニル共重合体との混合物等が挙げられる。外筒２０は、全部又は一部の内部を視認できるように、透明性を有する樹脂で構成されてもよい。
【００３１】
カテーテル反発力の最大値は、０．０６Ｎ以上が望ましい。より好ましくは０．１８N以上である。本明細書において、カテーテル反発力の最大値とは、チューブ長２０ｍｍのカテーテルを用いて、支点間距離１５ｍｍ、押し込み距離１．５ｍｍおよび押し込み速度２０ｍｍ／ｍｉｎの条件で３点曲げ試験を行って得られた反発力の値である。カテーテル反発力の測定には、オートグラフ（ＥＺ−Ｌ、株式会社島津製作所製）を用いる。
【００３２】
外筒２０の表面は撥水性または疎水性を有している。撥水性または疎水性を有する表面は、例えば、シリコーン油、フッ素、セラミック等の撥水性や疎水性を備えた材料をコーティングしたり、表面に微小な凹凸を形成することで実現可能である。
【００３３】
外筒２０の基端には外筒ハブ２２が設けられている。外筒２０及び外筒ハブ２２は中空となっており、薬液を吸引する前の組立状態において、内針１０は外筒２０及び外筒ハブ２２に挿通されている。内針１０は、全体が外筒２０及び外筒ハブ２２によって覆われている。そのため針先１４は外筒２０の内部空間に位置している。
【００３４】
図５は、外筒ハブ２２の断面図である。外筒ハブの中空部は先端に向かって径が漸減するテーパー形状となっており、内針ハブ１２と嵌合可能となっている。外筒ハブ２２の外周には傘部２４が設けられている。傘部２４は、外筒ハブ２２の基端側において円板状の基端面部２８が延在し、その基端面部２８の外縁全体に、先端方向に延在する突起が設けられている。
【００３５】
組立状態において外筒ハブ２２は内針ハブ１２と嵌合している。外筒２０の内径と内針１０の外径は略同一であり、内針１０と外筒２０の間は液密となっている。外筒ハブ２２と内針ハブ１２の嵌合を解除することで、外筒２０は内針１０に対して摺動可能となる。外筒２０を挿入方向に前進させることで、内針１０から離脱可能となる。
【００３６】
本実施形態において、外筒２０の内径は、内針１０の外径と略同一となっているが、外筒２０の内径が、内針１０の外径よりも大きいものであってもよい。その場合、外筒２０の内周面又は内針１０の外表面の一部が当接していればよく、例えば環状の突起を設けてもよい。突起によって外筒２０と内針１０の隙間を埋めることで液密となる。また、外筒２０と内針１０の接触面積が減少することで、外筒２０の内針１０に対する摺動性が向上する。
【００３７】
外筒２０の先端にはフィルター２１が設けられている。本実施形態におけるフィルター２１として濾過部材２１Ａが用いられている。濾過部材２１Ａは外筒２０の先端の内部及び又は先端付近に位置している。
濾過部材２１Ａは、空気及び薬液を通過するがアンプル内の薬液に含まれる異物やアンプルの破片を捕捉するものであればよい。例えば、上記の条件に適合するような焼結体や、不織布、ろ紙、メンブレン等が好ましい。
【００３８】
次に、図３及び図４を参照して本発明の使用方法を説明する。
【００３９】
最初に、薬液４０を吸引するためのシリンジ５０を準備し内針ハブ１２に取り付ける。取り付けは嵌合であってもよいし、螺子部を設けた螺合等でもよい。
次に、開封して開口部３２を有するアンプル３０を準備する。外筒２０をアンプル３０の開口部３２を通じてアンプル３０内部に挿入し、先端部２６を薬液４０内に配置させる。針先は外筒２０の内部空間に位置しているため、使用者やアンプル３０の底面３４に接触することがない。外筒ハブ２２は内針ハブ１２と嵌合しているため、嵌合部分に力を加えない限り、外筒２０が移動して針先が先端側に移動して外部に露出することはない。加えて外筒２０の先端が鈍になっているため、外筒２０によってアンプル３０の表面や使用者の皮膚を傷つける起こす可能性は低い。そのため使用者は安全に薬液４０を吸引することができる。
【００４０】
外筒２０の先端には濾過部材２１Ａが設けられているため、アンプル３０の底面３４などによって外筒２０の吸引口が完全に塞がれてしまうことがない。
【００４１】
次に、押し子５２を引き込むことで、薬液４０を吸引する。濾過部材２１Ａは薬液４０の中に入り込んだ異物（アンプルのガラス片や浮遊微粒子等）をフィルタリングするので、注入した薬液４０に異物が混入するといった心配がない。そのため、薬液４０を簡便かつ安全な状態で吸引することができる。
【００４２】
薬液４０は外筒２０を伝って針先１４付近まで到達するが、内針１０と外筒２０の間は液密となっているため、内針１０と外筒２０の間に薬液４０が溜ったり、外筒ハブ２２を通じて薬液４０が外部に漏れだすといったことが生じない。そのため薬液４０が使用者若しくは患者に付着してしまうリスクを低減することができる。
【００４３】
外筒２０の表面には撥水性または疎水性コーティングが施されているため、外筒２０をアンプル３０から抜き取った際に、薬液４０が付着し難くなっている。
【００４４】
薬液４０の吸引が完了した後、外筒２０をアンプル３０から取り出す。次に、外筒ハブ２２と内針ハブ１２との嵌合部分に力を加えて嵌合を解除し、外筒２０を内針１０に対して摺動可能な状態にする。外筒ハブ２２には傘部２４が設けられているため、外筒２０を取り外した際に、外筒２０の先端付近に付着した薬液４０が、外筒２０の外表面を伝って外筒ハブ２２まで流れ込んできた場合であっても傘部２４によって薬液４０の基端部方向への流れを遮断することができる。
【００４５】
外筒ハブ２２と内針ハブ１２との嵌合解除について詳述すると、次のとおりである。外筒ハブ２２を挟持し、外筒２０を確実に先端方向に押し進める。外筒ハブ２２を針先１４よりも先端側まで押し進めることで、外筒２０及び外筒ハブ２２を内針１０から容易に離脱させることができる。この際に、外筒ハブ２２ではなく傘部２４の基端面部２８を押しだすことで外筒２０を前進させても良い。外筒ハブ２２と内針ハブ１２の嵌合の解除及び外筒２０の前進を、簡便な操作で行うことができ、利便性を向上させることができる。
【００４６】
外筒２０を押し進めるために、基端面部２８に力を加える、又は傘部２４の外周部分を把持して押し進めても良い。把持し易くするために外周部分に凹凸を持たせてもよい。
外筒を押し進めるために傘部とは別の部材を外筒ハブの外表面に設けても良い。例えば突起を設け、突起をつまんで外筒２０を押し進めることで、使用者が薬液３０に触れてしまう可能性をより低減させることができる。
【００４７】
図４は薬液４０を吸引し、外筒２０及び外筒ハブ２２を取り外した後の内針１０、内針ハブ１２が取り付けられたシリンジ５０の全体図である。
薬液４０の付着した外筒２０及び外筒ハブ２２は分離されているため、清潔な状態で穿刺及び注入を行うことができる。また針先１４は露出しており、すぐに穿刺及び薬液４０の注入が可能な状態となっている。
【００４８】
図２は本発明の他の実施形態（第２実施形態）の概略側面図である。本実地形態のアンプル製剤用針組立体１００において、第１実施形態と異なる点は、外筒２０の中間部に、フィルターとして濾過器２１Ｂが設けられていることである。          
濾過器２１Ｂは円盤形状のハウジングを含み、ハウジングの内部には異物をフィルタリングする濾過部材が収納されている。濾過器２１Ｂの内部は外筒２０の内部と連通している。濾過器２１Ｂの外径は外筒２０の外径と比べて大きいため、比較的大きな体積の濾過部材を収納することができる。濾過部材の体積が大きいので、濾過部材に異物が溜っても詰まりが生じにくい。また、濾過器２１Ｂは比較的大きな外径を有しているので、作業途中にアンプル製剤用針組立体１００を作業台に置いても外筒開口部２３が作業台に触れずに汚染することがない。なお、濾過器２１Ｂの外周面の一部が平面になっていても良い一部を平らにすることで、作業台にアンプル製剤用針組立体１００を横たわらせたときに、アンプル製剤用針組立１００が転がるのを防止することができる。
【００４９】
図６乃至図９は、外筒２０の先端部形状における態様Ａ乃至Ｄである。
【００５０】
図６は、外筒２０の他の態様Ａである。外筒２０の先端は開口した外筒開口部２３を有しており、円筒状の外筒２０を、その中心軸に対して傾いた角度を持つ平面で切り取った形状をしているが、最先端は鈍になっている。非鋭利な形状をとることで、アンプル３０の表面や使用者の皮膚を傷つけるリスクを低減することができる。
【００５１】
図７は、外筒２０の他の態様Ｂである。先端が塞がっており、側面には外筒開口部２３が設けられている。
【００５２】
図８は、外筒２０の他の態様Ｃである。外筒２０の先端は開口した外筒開口部２３を有しており、先端には先端方向に延びる複数の先端凸部２５が設けられている。
【００５３】
図９は、外筒２０の他の態様Ｄである。態様Ｃと同様に複数の先端凸部２５を有し、それぞれが径方向外向きに曲がっており、全体としてラッパ状になるように延在している。
【００５４】
図１０乃至図１３は、態様Ａ乃至Ｄにおける外筒２０を、アンプル３０に対して垂直に挿入し、外筒２０の先端を底面３４に位置させたものである。外筒２０の先端がアンプル３０の底面３４に接している場合でも外筒開口部２３がアンプル３０の内壁によって閉塞されないため、安定して吸引を行うことができる。
【００５５】
図１１の態様Ｂにおいて、外筒開口部２３が最先端よりも基端側に位置している。そのため、アンプルの底面３４に沈澱しているガラス破片及び又は異物を吸引せずに、薬液４０のみを吸引することができる。
【００５６】
図１３の態様Ｄにおいて、先端凸部２５が底面に対して傾斜した状態で当接している。薬液３０の小さな液滴が底面に付着している場合でも、外筒２０を底面に向けて押し込むことで、先端凸部２５を変形させて外筒開口部２３を底面に近づけ、薬液３０を残らず吸引することができる。
【産業上の利用可能性】
【００５７】
本発明は、薬液をアンプルから吸引するアンプル製剤用針組立体に関する。
【符号の説明】
【００５８】
１，１００：アンプル製剤針組立体
１０：内針
１２：内針ハブ
１４：針先
２０：外筒
２１：フィルター
２１Ａ：濾過部材
２１Ｂ：濾過器
２２：外筒ハブ
２３：外筒開口部
２４：傘部
２５：先端凸部
２６：先端部
２８：基端面部
３０：アンプル
３２：開口部
３４：底面
４０：薬液
５０：シリンジ
５２：押し子
【図１】
2019051031.tif 000003
【図２】
2019051031.tif 000004
【図３】
2019051031.tif 000005
【図４】
2019051031.tif 000006
【図５】
2019051031.tif 000007
【図６】
2019051031.tif 000008
【図７】
2019051031.tif 000009
【図８】
2019051031.tif 000010
【図９】
2019051031.tif 000011
【図１０】
2019051031.tif 000012
【図１１】
2019051031.tif 000013
【図１２】
2019051031.tif 000014
【図１３】
2019051031.tif 000015